(57)【特許請求の範囲】
【請求項１】
第１および第２の外部入力映像信号を、一つの筐体に内蔵した第１および第２のビデオテープレコーダで同時に第１および第２の磁気テープにそれぞれ記録する映像記録方法であって、
前記第１のビデオテープレコーダで前記第１の磁気テープに第１の外部入力映像信号を記録すると同時に前記第１の磁気テープに記録される映像信号のタイムコードを抽出し、このタイムコードと同一のタイムコードを前記第２のビデオテープレコーダで生成して前記第２の外部入力映像信号中の主映像信号と生成したタイムコードとを合成して前記第２の磁気テープに前記第２のビデオテープレコーダで記録することを特徴とする映像記録方法。
【請求項２】
第１および第２の外部入力映像信号を、一つの筐体に内蔵した第１および第２のビデオテープレコーダで同時に第１および第２の磁気テープにそれぞれ記録する映像記録再生装置であって、
前記第１のビデオテープレコーダを、磁気テープ走行系および回転磁気ヘッドを含む第１のメカニズムと、前記第１のメカニズムを駆動する第１のメカニズム駆動部と、第１のメカニズムに装着した前記第１の磁気テープに第１の記録信号を与える第１の記録回路と、前記第１のメカニズムに装着した前記第１の磁気テープから第１の再生信号を取り出す第１の再生回路と、前記第１の外部入力映像信号中のバーチカルインターバルタイムコードを読み取る第１のバーチカルインターバルタイムコード読み取り部と、前記第１の再生回路によって取り出した第１の再生信号中のタイムコードを読み取る第１のタイムコード読み取り部と、前記第１の外部入力映像信号中のバーチカルインターバルタイムコードと前記第１の再生信号中のタイムコードに同期して連続したタイムコードと第１のプリセット値に同期して連続したタイムコードとの何れかをひとつを選択して第１の記録タイムコードデータとして出力する第１のタイムコード制御部と、前記第１の外部入力映像信号中のバーチカルインターバルタイムコードと前記第１の再生信号中のタイムコードと前記第１のプリセット値との何れかをひとつを指定する信号を前記第１のタイムコード制御部に与える第１のタイムコード選択部と、前記第１のタイムコード制御部から出力された前記第１の記録タイムコードデータに対応したタイムコードを生成して前記第１の記録回路へ与える第１のタイムコード発生部とで構成し、前記第１の記録回路で前記第１の外部入力映像信号中の主映像信号と前記第１のタイムコード発生部で生成したタイムコードとを合成して前記第１の記録信号とし、
前記第２のビデオテープレコーダを、磁気テープ走行系および回転磁気ヘッドを含む第２のメカニズムと、前記第２のメカニズムを駆動する第２のメカニズム駆動部と、第２のメカニズムに装着した前記第２の磁気テープに第２の記録信号を与える第２の記録回路と、前記第２のメカニズムに装着した前記第２の磁気テープから第２の再生信号を取り出す第２の再生回路と、前記第２の外部入力映像信号中のバーチカルインターバルタイムコードを読み取る第２のバーチカルインターバルタイムコード読み取り部と、前記第２の再生回路によって取り出した第２の再生信号中のタイムコードを読み取る第２のタイムコード読み取り部と、前記第２の外部入力映像信号中のバーチカルインターバルタイムコードと前記第２の再生信号中のタイムコードに同期して連続したタイムコードと第２のプリセット値に同期して連続したタイムコードと前記第１の再生信号中のタイムコードとの何れかをひとつを選択して第２の記録タイムコードデータとして出力する第２のタイムコード制御部と、前記第２の外部入力映像信号中のバーチカルインターバルタイムコードと前記第２の再生信号中のタイムコードと前記第２のプリセット値と前記第１の再生信号中のタイムコードとの何れかをひとつを指定する信号を前記第２のタイムコード制御部に与える第２のタイムコード選択部と、前記第２のタイムコード制御部から出力された前記第２の記録タイムコードデータに対応したタイムコードを生成して前記第２の記録回路へ与える第２のタイムコード発生部とで構成し、前記第２の記録回路で前記第２の外部入力映像信号中の主映像信号と前記第２のタイムコード発生部で生成したタイムコードとを合成して前記第２の記録信号としたことを特徴とする映像記録再生装置。
【発明の詳細な説明】
【０００１】
【発明の属する技術分野】
この発明は、例えば２つのデジタルフォーマットのビデオテープレコーダと２つの映像モニタとを有し、映像編集機能を内蔵した例えばラップトップ型の映像記録再生装置とそれを用いた映像記録方法に関するものである。
【０００２】
【従来の技術】
２台のデジタル方式のビデオテープレコーダとカラー液晶パネルからなる２台の映像モニタとを一体化し編集手段を内蔵した本発明の基礎となるラップトップ型の映像記録再生装置について、図３を参照しながら説明する。
このラップトップ型の映像記録再生装置２００は、ベース部２１０と、このベース部２１０に対して起立・倒伏自在に取り付けられた可動部２２０とからなる。ベース部２１０は、手前側が低く奥側が高い二段構造になっており、奥側高段部にフロントローディング型の再生専用（オリジナル再生用）のビデオテープレコーダ２１１と記録再生可能（マスター記録用）なビデオテープレコーダ２１２が左右に並べて内蔵配置され、手前側低段部の上面の左右に２台のビデオテープレコーダ２１１，２１２の操作部２１３，２１４が配置され、手前側低段部の上面において、操作部２１３，２１４の間に編集操作部２１５が配置されている。可動部２２０は、カラー液晶パネルからなる２個の映像モニタ２２１，２２２を起立状態で前面となる部分に取り付けてあり、ベース部２１０に対して前後方向に回動自在に設けられて、倒伏状態でベース部２１０の手前側低段部に重なるようになっている。上記の映像モニタ２２１，２２２には、ビデオテープレコーダ２１１，２１２で再生された映像情報に重ねてテープ走行状態やタイムコードを示す編集関連情報が表示される。
【０００３】
ラップトップ型の映像記録再生装置２００では、２台のビデオテープレコーダ２１１，２１２に、ＤＶＣカセット２３１はそのまま装填でき、ミニＤＶカセット２３２はカセットアダプタ２３３に装着することで装填が可能である。
まず、記録再生動作について説明すると、ビデオテープレコーダ２１１については、上記したように再生専用であってデジタルカセットに記録された映像・音声信号を再生して出力することができる。また、ビデオテープレコーダ２１２について、記録再生可能であって、ビデオテープレコーダ２１１で再生した映像・音声信号と外部入力の映像・音声信号を選択的に記録することができ、またデジタルカセットに記録された映像・音声信号を再生して出力することができる。ビデオテープレコーダ２１１で再生した映像・音声信号をビデオテープレコーダ２１２に記録するときに編集が行われる。
【０００４】
以下、編集動作について説明する。例えば、ＤＶＣＰＲＯカメラレコーダ２３４により撮影して映像・音声信号を記録したＤＶＣカセット２３１を映像記録再生装置２００の再生専用のビデオテープレコーダ２１１の方に装填するか、またはＤＶカメラレコーダ２３５により撮影して映像・音声信号を記録したミニＤＶカセット２３２をカセットアダプタ２３３に装着した状態で映像記録再生装置２００の再生専用のビデオテープレコーダ２１１の方に装填する。また、映像記録再生装置２００の記録再生可能なビデオテープレコーダ２１２には、生または既に記録済みのマスタのＤＶＣカセット（図示せず）を装填する。
【０００５】
そして、ＤＶＣカセット２３１またはミニＤＶカセット２３２に記録された映像・音声信号をビデオテープレコーダ２１１で再生してビデオテープレコーダ２１２に装填されたＤＶＣカセット（図示せず）に記録するようにし、このときに映像モニタ２２１，２２２上に表示された映像情報と編集関連情報とを見ながら、ビデオテープレコーダ２１１，２１２の操作部２１３，２１４と編集操作部２１５を操作して、アッセンブル編集あるいはインサート編集を行う。
【０００６】
【発明が解決しようとする課題】
上記のような図３のラップトップ型の映像記録再生装置では、２台のビデオテープレコーダを一体化したものであるにもかかわらず、一方のビデオテープレコーダは再生専用であって、記録できるのは１台のみであるため、記録機能を使用する形態としては、例えば、オリジナルテープからマスターテープを作成する編集作業や、磁気テープに記録した映像信号を単に複製するダビングや、外部入力映像信号を１本の磁気テープに記録することに限られ、同時に２本の磁気テープに異なる映像信号を記録することはできず、同時に２つの外部入力映像信号の両方を記録することが必要な場合には、もう１台ビデオテープレコーダを準備しなければならなかった。
【０００７】
しかも、例えば、一つの舞台上の劇を撮影方向の異なる２台のビデオカメラで同時に撮影し、後で２台のビデオカメラで撮影した２つの映像信号のシンクロ編集を行う場合、２台のビデオカメラでそれぞれ撮影した映像信号を２台のビデオテープレコーダでそれぞれ記録するときに、２つの映像信号の同一撮影時刻のタイムコードを一致させることが必要である。単に２台のビデオカメラから出力される映像信号を２台のビデオテープレコーダに記録するだけでは、いくら初期設定によってタイムコードを同じように設定しても、２台のビデオテープレコーダの操作を別々に行わねばならないので、２台のビデオテープレコーダで２つの映像信号にタイムコードのずれが生じやすく、両映像信号のタイムコードを合わせることが困難であった。
【０００８】
なお、共通のタイムコード発生器を設けて、２台のビデオテープレコーダをタイムコードを合わせることも考えられるが、別体となった２台のビデオテープレコーダでは、両者の間の信号配線等が必要で、タイムコードを合わせることが困難であった。
したがって、この発明の目的は、他のビデオテープレコーダを準備することなしに簡便に、２つの外部入力映像信号を第１および第２の磁気テープにそれぞれ同時に記録することができるとともに、第１および第２のビデオテープレコーダの動作開始タイミングのずれに関係なく、第２の磁気テープに記録する映像信号のタイムコードを第１の磁気テープに記録する映像信号のタイムコードに自動的に合わせることができる映像記録方法および映像記録再生装置を提供することである。
【０００９】
【課題を解決するための手段】
この発明の映像記録方法は、第１および第２の外部入力映像信号を、一つの筐体に内蔵した第１および第２のビデオテープレコーダで同時に第１および第２の磁気テープにそれぞれ記録する方法であり、第１のビデオテープレコーダで第１の磁気テープに第１の外部入力映像信号を記録すると同時に第１の磁気テープに記録される映像信号のタイムコードを抽出し、このタイムコードと同一のタイムコードを第２のビデオテープレコーダで生成して第２の外部入力映像信号中の主映像信号と生成したタイムコードとを合成して第２の磁気テープに記録することを特徴とする。
【００１０】
この発明の方法によれば、第１のビデオテープレコーダで第１の外部入力映像信号を記録すると同時に第１のビデオテープレコーダに記録される映像信号のタイムコードを抽出し、このタイムコードと同一のタイムコードを生成して第２の外部入力映像信号中の主映像信号と生成したタイムコードとを合成して第２の磁気テープに記録するので、第１および第２のビデオテープレコーダのスタートタイミングに依存せずに、第１および第２の磁気テープに記録される映像信号のタイムコードを一致させることができる。
【００１１】
この発明の映像記録再生装置は、第１および第２の外部入力映像信号を、一つの筐体に内蔵した第１および第２のビデオテープレコーダで同時に第１および第２の磁気テープにそれぞれ記録するものである。第１のビデオテープレコーダは、磁気テープ走行系および回転磁気ヘッドを含む第１のメカニズムと、第１のメカニズムを駆動する第１のメカニズム駆動部と、第１のメカニズムに装着した第１の磁気テープに第１の記録信号を与える第１の記録回路と、第１のメカニズムに装着した第１の磁気テープから第１の再生信号を取り出す第１の再生回路と、第１の外部入力映像信号中のバーチカルインターバルタイムコードを読み取る第１のバーチカルインターバルタイムコード読み取り部と、第１の再生回路によって取り出した第１の再生信号中のタイムコードを読み取る第１のタイムコード読み取り部と、第１の外部入力映像信号中のバーチカルインターバルタイムコードと第１の再生信号中のタイムコードに同期して連続したタイムコードと第１のプリセット値に同期して連続したタイムコードとの何れかをひとつを選択して記録タイムコードデータとして出力する第１のタイムコード制御部と、第１の外部入力映像信号中のバーチカルインターバルタイムコードと第１の再生信号中のタイムコードと第１のプリセット値との何れかをひとつを指定する信号を第１のタイムコード制御部に与える第１のタイムコード選択部と、第１のタイムコード制御部から出力された第１の記録タイムコードデータに対応したタイムコードを生成して第１の記録回路へ与える第１のタイムコード発生部とで構成している。この場合、第１の記録回路では、第１の外部入力映像信号中の主映像信号と第１のタイムコード発生部で生成したタイムコードとを合成して第１の記録信号としている。
【００１２】
第２のビデオテープレコーダは、磁気テープ走行系および回転磁気ヘッドを含む第２のメカニズムと、第２のメカニズムを駆動する第２のメカニズム駆動部と、第２のメカニズムに装着した第２の磁気テープに第２の記録信号を与える第２の記録回路と、第２のメカニズムに装着した第２の磁気テープから第２の再生信号を取り出す第２の再生回路と、第２の外部入力映像信号中のバーチカルインターバルタイムコードを読み取る第２のバーチカルインターバルタイムコード読み取り部と、第２の再生回路によって取り出した第２の再生信号中のタイムコードを読み取る第２のタイムコード読み取り部と、第２の外部入力映像信号中のバーチカルインターバルタイムコードと第２の再生信号中のタイムコードに同期して連続したタイムコードと第２のプリセット値に同期して連続したタイムコードと第１の再生信号中のタイムコードとの何れかをひとつを選択して第２の記録タイムコードデータとして出力する第２のタイムコード制御部と、第２の外部入力映像信号中のバーチカルインターバルタイムコードと第２の再生信号中のタイムコードと第２のプリセット値と第１の再生信号中のタイムコードとの何れかをひとつを指定する信号を第２のタイムコード制御部に与える第２のタイムコード選択部と、第２のタイムコード制御部から出力された第２の記録タイムコードデータに対応したタイムコードを生成して第２の記録回路へ与える第２のタイムコード発生部とで構成している。この場合、第２の記録回路では、第２の外部入力映像信号中の主映像信号と第２のタイムコード発生部で生成したタイムコードとを合成して第２の記録信号としている。
【００１３】
この発明の構成によれば、第１のビデオテープレコーダで第１の外部入力映像信号を記録すると同時に第１のビデオテープレコーダに記録される映像信号のタイムコードを抽出し、このタイムコードと同一のタイムコードを生成して第２の外部入力映像信号中の主映像信号と生成したタイムコードとを合成して第２の磁気テープに記録するので、第１および第２のビデオテープレコーダのスタートタイミングに依存せずに、第１および第２の磁気テープに記録される映像信号のタイムコードを一致させることができる。
【００１４】
【発明の実施の形態】
以下、本発明の実施の形態を図面を参照しながら説明する。
図１は本発明の実施の形態の映像記録再生装置の構成を示すブロック図である。図１において、第１の映像信号入力端子１には例えばバーチカルインターバルタイムコードを含んだ第１の外部入力映像信号が供給され、第２の映像信号入力端子２には例えばバーチカルインターバルタイムコードを含んだ第２の外部入力映像信号が供給される。なお、第１および第２の外部入力映像信号としては、バーチカルインターバルタイムコードを含まないものも入力される。
【００１５】
上記のバーチカルインターバルタイムコードは、エンコードされて垂直ブランキング期間に挿入されるもので、１Ｈ期間にＳＭＰＴＥタイムコードのデータ分６４ビットを８ビット単位に分けて同期ビットを付加し、さらに８ビットのＣＲＣコード（巡回検査符号）を加えた９０ビットの構成となっており、各フィールドの１２Ｈと１４Ｈに挿入され、１フレーム内に４回繰り返される。なお、ビット番号３５は、フィールドマークとして、つまり偶数フィールド、奇数フィールドを識別するビットとして使われる。
【００１６】
記録再生が可能なデジタル方式の第１のビデオテープレコーダ３は、第１の映像信号入力端子１から入力される第１の外部入力映像信号と第２の映像信号入力端子２から入力される第２の外部入力映像信号との何れか一方を選択的に記録することができる。また、記録再生が可能なデジタル方式の第２のビデオテープレコーダ４は、第１のビデオテープレコーダ３で再生した映像信号と第２の映像信号入力端子２から入力される第２の外部入力映像信号との何れか一方を選択的に記録することができる。上記の第１および第２のビデオテープレコーダ３，４は、一つの筐体（図示せず）に内蔵されていて、動作司令部５から与えられる指令信号によって統括的に制御される。なお、動作司令部５には、外部入力映像信号に記録されているものと関係なしに独自にタイムコードを生成するために必要な第１および第２のプリセット値を任意に設定して出力する機能も有している。
【００１７】
上記の第１のビデオテープレコーダ３では、動作司令部５から与えられる指令信号に従って磁気テープ走行系および回転磁気ヘッドを含む第１のメカニズム２１を第１のメカニズム駆動部２２が駆動する。そして、第１の記録回路２３が第１のメカニズム２１に装着した第１の磁気テープ（図示せず）に第１の記録信号を与え、第１の再生回路２４が第１のメカニズム２１に装着した第１の磁気テープから第１の再生信号を取り出す。
【００１８】
また、第１のバーチカルインターバルタイムコード読み取り部（図１では、ＶＩＴＣ読み取り部と記す）２５が外部入力映像信号中のバーチカルインターバルタイムコードを読み取り、第１のタイムコード読み取り部（図１では、ＴＣ読み取り部と記す）２６が第１の再生回路２４で再生した第１の再生信号中のタイムコードを読み取る。
【００１９】
この際、第１のバーチカルインターバルタイムコード読み取り部２５は、外部入力映像信号中のバーチカルインターバルタイムコードを各フィールド毎に読み取ってタイムコード制御部２７へ送る。また、第１のタイムコード読み取り部２６は、再生時には再生信号中のタイムコードをフレーム毎に読み取ってタイムコード制御部２７へ送り、記録時には同時再生が行われ、その同時再生信号中のタイムコードをフレーム毎に読み取ってタイムコード制御部２７へ送る。また、動作指令部５から与えられるプリセット値というは、「○○時○○分○○秒○○フレーム」で表されるタイムコードの記録開始時の初期値を示す一定値である。
【００２０】
さらに、第１のタイムコード制御部（図１では、ＴＣ制御部と記す）２７が、第１のバーチカルインターバルタイムコード読み取り部２５で読み取った第１の外部入力映像信号中のバーチカルインターバルタイムコードと第１のタイムコード読み取り部２６で読み取った第１の再生信号中のタイムコードに同期して連続したタイムコードと動作指令部５から出力される第１のプリセット値に同期して連続したタイムコードの中の何れか一つを第１の記録タイムコードデータとして出力する。また、第１のタイムコード選択部（図１では、ＴＣ選択部と記す）２８が、第１のタイムコード制御部２７に対して第１の外部入力映像信号中のバーチカルインターバルタイムコードと第１の再生信号中のタイムコードと第１のプリセット値のうちの何れか一つを指定する。
【００２１】
この場合、上記の第１のタイムコード制御部２７は、第１のバーチカルインターバルタイムコード読み取り部２５からのバーチカルインターバルタイムコード、第１のタイムコード読み取り部２６からのタイムコード、および第１のプリセット値をそれぞれ保持するラッチ（図示せず）と、第１のタイムコード選択部２８によって選択される何れかのラッチの保持データが設定値として入力され、フレーム周期で入力されるクロックで歩進するカウンタ（図示せず）とからなる。
【００２２】
ここで、第１のプリセット値が選択されて第１のタイムコード制御部２７に入力される場合には、第１のバーチカルインターバルタイムコード読み取り部２５からのバーチカルインターバルタイムコードまたは第１のタイムコード読み取り部２６からのタイムコードが選択されて第１のタイムコード制御部２７に入力される場合のように、フィールド毎またはフレーム毎に第１のバーチカルインターバルタイムコード読み取り部２５または第１のタイムコード読み取り部２６から新しい値が入力されることはないが、第１のタイムコード制御部２７において、フレーム毎に発生するクロックに従ってタイムコードのデータがフレーム毎に更新されて出力されることになる。
【００２３】
そして、第１のタイムコード制御部２７から出力された第１の記録タイムコードデータに従い、第１のタイムコード発生部（図１では、ＴＣ選択部と記す）２９が記録タイムコードデータに対応したタイムコードを生成して第１の記録回路２３へ与える。
ここで、上記の第１の記録回路２３では、第１の外部入力映像信号中の主映像信号と第１のタイムコード発生部２９で生成したタイムコードとを合成して第１の記録信号としている。
【００２４】
また、上記の第２のビデオテープレコーダ４は、動作司令部５から与えられる指令信号に従って磁気テープ走行系および回転磁気ヘッドを含む第２のメカニズム３１を第２のメカニズム駆動部３２が駆動する。そして、第２の記録回路３３が第２のメカニズム３１に装着した第２の磁気テープ（図示せず）に第２の記録信号を与え、第２の再生回路３４が第２のメカニズム３１に装着した第２の磁気テープから第２の再生信号を取り出す。
【００２５】
また、第２のバーチカルインターバルタイムコード読み取り部（図１では、ＶＩＴＣ読み取り部と記す）３５が第２の外部入力映像信号中のバーチカルインターバルタイムコードを読み取り、第２のタイムコード読み取り部（図１では、ＴＣ読み取り部と記す）３６が第２の再生回路３４で再生した第２の再生信号中のタイムコードを読み取る。
【００２６】
さらに、第２のタイムコード制御部（図１では、ＴＣ制御部と記す）３７が、第２のバーチカルインターバルタイムコード読み取り部３５で読み取った第２の外部入力映像信号中のバーチカルインターバルタイムコードと第２のタイムコード読み取り部３６で読み取った第２の再生信号中のタイムコードに同期して連続したタイムコードと動作指令部５から出力される第２のプリセット値に同期して連続したタイムコードと第１のビデオテープレコーダ３における第１のタイムコード読み取り部２６で読み取った第１の再生信号中のタイムコードのうちの何れか一つを第２の記録タイムコードデータとして出力する。また、第２のタイムコード選択部（図１では、ＴＣ選択部と記す）３８が、第２のタイムコード制御部３７に対して第２の外部入力映像信号中のバーチカルインターバルタイムコードと第２の再生信号中のタイムコードと第２のプリセット値と第１の再生信号中のタイムコードの中の何れか一つを指定する。
【００２７】
この場合、上記の第２のタイムコード制御部３７は、第２のバーチカルインターバルタイムコード読み取り部３５からのバーチカルインターバルタイムコード、第１のタイムコード読み取り部２６からのタイムコード、第２のタイムコード読み取り部３６からのタイムコード、および第２のプリセット値をそれぞれ保持するラッチ（図示せず）と、第２のタイムコード選択部３８によって選択される何れかのラッチの保持データが設定値として入力され、フレーム周期で入力されるクロックで歩進するカウンタ（図示せず）とからなる。
【００２８】
ここで、プリセット値が選択されて第２のタイムコード制御部３７に入力される場合には、第２のバーチカルインターバルタイムコード読み取り部３５からのバーチカルインターバルタイムコード、第１のタイムコード読み取り部２６からのタイムコードまたは第２のタイムコード読み取り部３６からのタイムコードが選択されて第２のタイムコード制御部３７に入力される場合のように、フィールド毎またはフレーム毎に第２のバーチカルインターバルタイムコード読み取り部３５または第２のタイムコード読み取り部３６から新しい値が入力されることはないが、第２のタイムコード制御部３７において、フレーム毎に発生するクロックに従ってタイムコードのデータがフレーム毎に更新されて出力されることになる。
【００２９】
そして、第２のタイムコード制御部３７から出力された第２の記録タイムコードデータに従い、第２のタイムコード発生部（図１では、ＴＣ発生部と記す）３９が記録タイムコードデータに対応したタイムコード信号を生成して第２の記録回路３３へ与える。
ここで、上記の第２の記録回路３３では、第２の外部入力映像信号中の主映像信号と第２のタイムコード発生部３９で生成したタイムコード信号とを合成して第２の記録信号としている。
【００３０】
つぎに、この映像記録再生装置の使用形態について説明する。
第１の映像信号入力端子１へ供給された第１の外部入力映像信号が第１のビデオテープレコーダ３へ送られ、第２の映像入力端子２へ供給された第２の外部入力映像信号が第２のビデオテープレコーダ４へ送られる。したがって、この映像記録再生装置では、第１の外部入力映像信号を第１のビデオテープレコーダ３で記録し、第２の外部入力映像信号を第２のビデオテープレコーダ４で記録することができ、両ビデオテープレコーダ３，４の記録動作は全く独立している。
【００３１】
まず、第１のビデオテープレコーダ３では、第１のタイムコード選択部２８がＰＲＥＳＥＴを指定すると、第１のタイムコード制御部２７が動作指令部５から与えられる第１のプリセット値を選択し、この第１のプリセット値を初期値とする連続した第１の記録タイムコードデータを出力し、タイムコード発生部２９は、第１の記録タイムコードデータに対応したタイムコード信号を発生する。そして、第１の記録回路２３にて、第１の外部入力映像信号中の主映像信号と第１のタイムコード発生部２９から与えられるタイムコード信号とが合成されて、第１のメカニズム２１へ送られ、第１の磁気テープに第１の外部入力映像信号中の主映像信号と第１のタイムコード発生部２９から与えられるタイムコード信号とが記録されることになる。この場合、第１の磁気テープに記録されるタイムコードは、第１の外部入力映像信号中のバーチカルインターバルタイムコードとは全く異なり、第１のプリセット値を初期値とする連続したタイムコードになる。
【００３２】
また、第１のタイムコード選択部２８がＲＥＧＥＮ（ＴＡＰＥ）を指定すると、第１のタイムコード制御部２７が第１のタイムコード読み取り部２６で読み取った第１の再生信号中のタイムコードを選択し、この第１の再生信号中のタイムコードを初期値とする連続した第１の記録タイムコードデータを出力し、第１の記録タイムコードデータに対応したタイムコードを発生する。そして、第１の記録回路２３にて、第１の外部入力映像信号中の主映像信号と第１のタイムコード発生部２９から与えられるタイムコード信号とが合成されて、第１のメカニズム２１へ送られ、第１の磁気テープに第１の外部入力映像信号中の主映像信号と第１のタイムコード発生部２９から与えられるタイムコード信号とが記録されることになる。この場合、第１の磁気テープに記録されるタイムコードは、第１の外部入力映像信号中のバーチカルインターバルタイムコードとは全く異なり、第１の再生信号中のタイムコードに同期して連続したタイムコードとなる。この状態では、第１の磁気テープに対して、映像信号を追加記録するときに、先に記録した映像信号のタイムコードに対して追加記録する映像信号のタイムコードを同期して連続させることができる。
【００３３】
また、第１のタイムコード選択部２８がＶＩＴＣを指定すると、第１のタイムコード制御部２７が第１のバーチカルインターバルタイムコード読み取り部２５で読み取った第１の外部入力映像信号中のバーチカルインターバルタイムコードを選択し、この第１の外部入力映像信号中のバーチカルインターバルタイムコードと同一の第１の記録タイムコードデータを出力し、第１の記録タイムコードデータに対応したタイムコードを発生する。そして、第１の記録回路２３にて、第１の外部入力映像信号中の主映像信号と第１のタイムコード発生部２９から与えられるタイムコード信号とが合成されて、第１のメカニズム２１へ送られ、第１の磁気テープに第１の外部入力映像信号中の主映像信号と第１のタイムコード発生部２９から与えられるタイムコード信号とが記録されることになる。この場合、第１の磁気テープに記録されるタイムコードは、第１の外部入力映像信号中のバーチカルインターバルタイムコードと同一となる。
【００３４】
つぎに、第２のビデオテープレコーダ３では、第２のタイムコード選択部３８がＰＲＥＳＥＴを指定すると、第２のタイムコード制御部３７が動作指令部５から与えられる第２のプリセット値を選択し、この第２のプリセット値を初期値とする連続した第２の記録タイムコードデータを出力し、第２のタイムコード発生部３９は、第２の記録タイムコードデータに対応したタイムコード信号を発生する。そして、第２の記録回路３３にて、第２の外部入力映像信号中の主映像信号と第２のタイムコード発生部３９から与えられるタイムコード信号とが合成されて、第２のメカニズム３１へ送られ、第２の磁気テープに第２の外部入力映像信号中の主映像信号と第２のタイムコード発生部３９から与えられるタイムコード信号とが記録されることになる。この場合、第２の磁気テープに記録されるタイムコードは、第２の外部入力映像信号中のバーチカルインターバルタイムコードとは全く異なり、第２のプリセット値を初期値とする連続したタイムコードになる。
【００３５】
また、第２のタイムコード選択部３８がＲＥＧＥＮ（ＴＡＰＥ）を指定すると、第２のタイムコード制御部３７が第２のタイムコード読み取り部３６で読み取った第２の再生信号中のタイムコードを選択し、この第２の再生信号中のタイムコードを初期値とする連続した第２の記録タイムコードデータを出力し、第２の記録タイムコードデータに対応したタイムコードを発生する。そして、第２の記録回路３３にて、第２の外部入力映像信号中の主映像信号と第２のタイムコード発生部３９から与えられるタイムコード信号とが合成されて、第２のメカニズム３１へ送られ、第２の磁気テープに第２の外部入力映像信号中の主映像信号と第２のタイムコード発生部３９から与えられるタイムコード信号とが記録されることになる。この場合、第２の磁気テープに記録されるタイムコードは、第２の外部入力映像信号中のバーチカルインターバルタイムコードとは全く異なり、第２の再生信号中のタイムコードに同期して連続したタイムコードとなる。この状態では、第２の磁気テープに対して、映像信号を追加記録するときに、先に記録した映像信号のタイムコードに対して追加記録する映像信号のタイムコードを同期して連続させることができる。
【００３６】
また、第２のタイムコード選択部３８がＶＩＴＣを指定すると、第２のタイムコード制御部３７が第２のバーチカルインターバルタイムコード読み取り部３５で読み取った第２の外部入力映像信号中のバーチカルインターバルタイムコードを選択し、この第２の外部入力映像信号中のバーチカルインターバルタイムコードと同一の第２の記録タイムコードデータを出力し、第２の記録タイムコードデータに対応したタイムコードを発生する。そして、第２の記録回路３３にて、第２の外部入力映像信号中の主映像信号と第２のタイムコード発生部３９から与えられるタイムコード信号とが合成されて、第２のメカニズム３１へ送られ、第２の磁気テープに第２の外部入力映像信号中の主映像信号と第２のタイムコード発生部３９から与えられるタイムコード信号とが記録されることになる。この場合、第２の磁気テープに記録されるタイムコードは、第２の外部入力映像信号中のバーチカルインターバルタイムコードと同一となる。
【００３７】
また、第２のタイムコード選択部３８がＶＴＲ１ＴＣを指定すると、第２のタイムコード制御部３７が第１のビデオテープレコーダ３の第１のタイムコード読み取り部２６で読み取った第１の再生信号中のタイムコードを選択し、この第１の再生信号中のタイムコードと同一の第２の記録タイムコードデータを出力し、第２の記録タイムコードデータに対応したタイムコードを発生する。そして、第２の記録回路３３にて、第２の外部入力映像信号中の主映像信号と第２のタイムコード発生部３９から与えられるタイムコード信号とが合成されて、第２のメカニズム３１へ送られ、第２の磁気テープに第２の外部入力映像信号中の主映像信号と第２のタイムコード発生部３９から与えられるタイムコード信号とが記録されることになる。この場合、第２の磁気テープに記録されるタイムコードは、第１の再生信号中のタイムコードと同一となる。つまり、第２の磁気テープに記録する映像信号のタイムコードを第１の磁気テープから再生された映像信号のタイムコードと一致させることができ、このとき第１の再生回路２４からの再生信号を第２の記録回路３３へ与えると、第１の磁気テープに記録された映像信号と同じ映像信号（タイムコードも同じ）を複製することができる。さらに、第１の磁気テープに映像信号を記録するとき、記録した映像信号を同時に再生して第２のビデオテープレコーダ４へ与えることにより、第１の磁気テープと第２の磁気テープに異なる映像信号を同時に記録するときに、第２の磁気テープに記録する映像信号のタイムコードを第１の磁気テープに記録する映像信号のタイムコードに合わせることができる。この場合、第１のビデオテープレコーダ３の第１のタイムコード選択部２８はどのように設定してもよい。ＰＲＥＳＥＴに設定すれば、第２の磁気テープの映像信号のタイムコードは、第１のプリセット値に対応したものとなり、ＲＥＧＥＮ（ＴＡＰＥ）に設定すれば、当然第１の磁気テープから再生された映像信号のタイムコードに同期して連続したものとなり、ＶＩＴＣに設定すれば、第１の外部入力映像信号中のバーチカルインターバルタイムコードに対応したものとなる。
【００３８】
なお、第２のビデオテープレコーダ４は、第２の外部入力映像信号だけではなく、第１の再生回路２４で再生した第１の再生信号中の主映像信号も記録することができ、このときのタイムコードとしては、プリセット値あるいはタイムコード読み取り部３６のタイムコードあるいはタイムコード読み取り部２６のタイムコードを選ぶことができる。
【００３９】
ここで、この実施の形態における映像記録再生装置の構造を図２を参照しなから説明する。
つぎに、この映像記録再生装置の構造について図２の概略図を参照して説明する。この映像記録再生装置は、ベース部７とこのベース部７に対して起立・倒伏自在に設けられた可動部８とで一つのラップトップ型の筐体６を構成している。ラップトップ型の筐体６におけるベース部７は、手前側低段部７Ａと奥側高段部７Ｂの二段構造となっている。
【００４０】
上記ラップトップ型の筐体６のベース部７における奥側高段部７Ｂには、独立して記録再生可能なデジタル方式の第１および第２のビデオテープレコーダ１１，１２を左右に並べて内蔵し、第１および第２のビデオテープレコーダ１１，１２のローディング開口（符号１１，１２はローディング開口の部分を指している）を奥側高段部７Ｂの前端面に並べて設けている。また、ベース部７内には、第１および第２のビデオテープレコーダ１１，１２の相互間で映像・音声信号の編集を行うための編集手段（図示せず）が内蔵されている。そして、筐体６のベース部７における手前側低段部７Ａの上面において、第１および第２のビデオテープレコーダ１１，１２の操作部１３，１４を第１および第２のビデオテープレコーダ１１，１２の配置と同じように左右に並べて設け、手前側低段部７Ａの上面において、操作部１３，１４の間に編集手段（図示せず）の操作部１５を設けている。
【００４１】
なお、編集時においては、左側の第１のビデオテープレコーダ１１をオリジナルのデジタルカセットの再生用に使用し、右側の第２のビデオテープレコーダ１２をマスターのデジタルカセットの記録用に使用し、編集手段は第１および第２のビデオテープレコーダ１１，１２を上記のように使用することを前提として回路構成されている。また、第１および第２のビデオテープレコーダ１１，１２の記録および再生機能については、全く同じように構成されていて、２系統のライン入力の映像・音声信号を独立に記録することができ、２つのデジタルカセットに記録された映像・音声信号を独立に再生して、ライン出力として２系統で出力することができるようにしている。なお、記録再生および編集動作については、第１のビデオテープレコーダ１１が記録再生可能となった点を除いて同じである。
【００４２】
一方、筐体６における可動部８は、本体部８Ａの両側に一対の脚部８Ｂ，８Ｃを有する構造であり、可動部８がベース部７に対して前後方向に回動して、起立状態では可動部８の本体部８Ａがベース部７の奥側高段部７Ｂ上に位置し、倒伏状態では本体部８Ａが手前側低段部７Ａにちょうど重なるように奥側高段部７Ｂを左右両側から可動部８の一対の脚部８Ｂ，８Ｃで挟んだ状態で奥側高段部７Ｂと可動部８の一対の脚部８Ｂ，８Ｃとをヒンジ結合している。
【００４３】
可動部８の本体部８Ａにおいて、倒伏状態でベース部７の手前側低段部７Ａに対向する面、つまり起立状態で正面を向く面に、第１および第２のビデオテープレコーダ１１，１２の再生映像出力を個別に表示するカラー液晶パネルからなる第１および第２の映像モニタ１６，１７を同じ方向に向けて設けている。
また、本体部８Ａにおける第１の映像モニタ１６の周辺部分には、第１のビデオテープレコーダ１１に付随するテープ走行状態やタイムコード等の編集関連情報を表示する例えば蛍光表示管からなる第１の表示手段１８が、第１および第２の映像モニタ１６，１７と同じ方向に向けて一体的に設けられている。同様にして本体部８Ａにおける第２の映像モニタ１７の周辺部分には、第２のビデオテープレコーダ１２に付随するテープ走行状態やタイムコード等の編集関連情報を表示する例えば蛍光表示管からなる第２の表示手段１９が第１および第２の映像モニタ１６，１７と同じ方向に向けて一体的に設けられている。なお、第１および第２の表示手段１８，１９は、図２の場合には、第１および第２の映像モニタ１６，１７の下部に設けられているが、その位置は、上部でも両側でもよい。
【００４４】
この結果、前述の第１および第２のビデオテープレコーダ１１，１２の操作部１３，１４および編集手段の操作部１５はベース部７における倒伏状態の可動部８に対向する面に設けられたことになる。
この実施の形態によると、他のビデオテープレコーダを準備することなしに簡便に、２つの外部入力映像信号を第１および第２の磁気テープにそれぞれ同時に記録することができるとともに、タイムコード選択部３８をＶＴＲ１ＴＣに設定することにより、第１および第２のビデオテープレコーダ３，４の動作開始タイミングのずれに関係なく、第２の磁気テープに記録する映像信号のタイムコードを第１の磁気テープに記録する映像信号のタイムコードに自動的に合わせることができる。
【００４５】
また、他のビデオテープレコーダを準備することなしに簡便に、第２の外部入力映像信号をタイムコードを元と同じにして第１および第２の磁気テープにまったく同じように記録することができ、万一第１および第２のビデオテープレコーダの片方が動作不良に陥っても残りのビデオテープレコーダで第２の外部入力映像信号を記録することができ、記録の信頼性を高めることができる。
ができる。
【００４６】
なお、上記実施の形態では、ビデオテープレコーダはデジタル方式であったが、アナログ方式であってよいのは当然である。また、第１のビデオテープレコーダ３は、再生信号中のタイムコードを抽出して第２のビデオテープレコーダ４へ供給するようにしたが、磁気テープへ記録する前の記録信号からタイムコードを抽出して第２のビデオテープレコーダへ供給してもよい。
【００４７】
また、第１のビデオテープレコーダは再生モードとし、第２のビデオテープレコーダを記録モードとする使用形態も考えられ、この場合にも、第２の磁気テープの映像信号のタイムコードを第１の磁気テープのタイムコードに合わせることができる。
【００４８】
【発明の効果】
この発明の映像記録方法および映像記録方法によれば、他のビデオテープレコーダを準備することなしに簡便に、２つの外部入力映像信号を第１および第２の磁気テープにそれぞれ同時に記録することができるとともに、第１および第２のビデオテープレコーダの動作開始タイミングのずれに関係なく、第２の磁気テープに記録する映像信号のタイムコードを第１の磁気テープに記録する映像信号のタイムコードに自動的に合わせることができる。
【図面の簡単な説明】
【図１】この発明の実施の形態における映像記録再生装置を構成を示すブロック図である。
【図２】この発明の実施の形態における映像記録再生装置の構成を示す概略図である。
【図３】従来例の映像記録再生装置の構成を示す概略図である。
【符号の説明】
１    第１の映像入力端子
２    第２の映像入力端子
３    第１のビデオテープレコーダ
４    第２のビデオテープレコーダ
５    動作指令部
２１    第１のメカニズム
２２    第１のメカニズム駆動部
２３    第１の記録回路
２４    第１の再生回路
２５    第１のバーチカルインターバルタイムコード（ＶＩＴＣ）読み取り部
２６    第１のタイムコード（ＴＣ）読み取り部
２７    第１のタイムコード（ＴＣ）制御部
２８    第１のタイムコード（ＴＣ）選択部
２９    第１のタイムコード（ＴＣ）発生部
３１    第２のメカニズム
３２    第２のメカニズム駆動部
３３    第２の記録回路
３４    第２の再生回路
３５    第２のバーチカルインターバルタイムコード（ＶＩＴＣ）読み取り部
３６    第２のタイムコード（ＴＣ）読み取り部
３７    第２のタイムコード（ＴＣ）制御部
３８    第２のタイムコード（ＴＣ）選択部
３９    第２のタイムコード（ＴＣ）発生部
【図１】
0003597662.tif 000002
【図２】
0003597662.tif 000003
【図３】
0003597662.tif 000004